(57)【要約】【課題】  マグネット方式はフィードトレイ側のマグネットとフロントカバー側のプレートの磁力によりロックする方式であり、フィードトレイとフロントカバーとがシェル構造をとっていたため、あわせ部分の堅牢性（つかんだ時の剛性不足、ギシギシ音等）に問題があった。【解決手段】  ＦトレイとＦカバーの間に橋げたを新たに設ける橋げた構造に構成変更し、堅牢性ＵＰを図っている。また、マグネットの価格が高価であることから、ロック方式をマグネット方式から、メカ爪方式に変更した。【選択図】  図１
2008055841.tif 000002
【特許請求の範囲】
【請求項１】
記録手段により記録がなされる記録媒体を本体内に供給するための給紙部、および記録媒体が外部に排出される排紙部を備えた主筐体と、
給紙部を覆う回転可能に設けられた第１のカバー部材と、前方の側面に位置する排紙部と、その排紙部を覆う回転可能に設けられた第２のカバー部材と、
第１のカバー部材を閉じた際に固定するための第１のロック部材と、
第２のカバー部材を閉じた際に固定するための第２のロック部材と、
第１のカバー部材と第２のカバー部材を閉じた状態において、第１および第２のカバー部材がそれぞれ当接するカバー突き当て部を主筐体の排紙側面に有し、第１のロック部材と、第２のロック部材がカバー突き当て部内に収容されたことを特徴とする記録装置。
【請求項２】
第１のカバーロック部材は第１のカム部を有し、第２のカバーロック部材は第２のカム部を有し、第１のカバーを開いた際に第１のカバーロック部材が回転し、第１のカム部が第２のカム部に作用して、第２のカバーロック部材が回転して第２のカバー部材のロックが解除されて、第２のカバー部材が開くことを特徴とする請求項１に記載の記録装置。
【発明の詳細な説明】
【技術分野】
【０００１】
本発明は、記録装置、特に記録印字のための用紙搬送形態に関する。
【背景技術】
【０００２】
近年、インクジェットプリンタが広く普及するとともに、さまざまな形態のインクジェットプリンタが提案されており、特に、使い勝手の良い軽量、かつ小型なタイプが広くユーザーに支持されてきている。その中でも、特に携帯型の小型インクジェットプリンタにおいては、薄型タイプが主流となっている。
【０００３】
このような薄型携帯型プリンタにおける記録印字のための用紙搬送形態としては、フラットパス、あるいはいわゆる「J」パス形態のものが多く用いられている。
【０００４】
ここで、「J」パス搬送系を採用している小型プリンタの代表例を次に説明する。
【０００５】
まず、一つ目のプリンタの例として、プリンタ本体の後部には記録紙を給紙するための給紙開口部が配置されており、その給紙開口部を覆うように給紙カバーが、回転軸を回転中心として開閉可能に設けられている。また、プリントヘッドおよびインクタンクの操作を行うためのアクセスカバーがあり、本体前面には記録紙の排紙開口部が設けられ、これを覆う給紙カバーが、回転軸を回転中心として開閉可能に設けられている。なお、プリンタ本体の上面には、プリンタの各種操作を行うための操作部が設けられており、プリンタの状態を表示可能としている。このようなプリンタでは、給紙カバーは、使用時に給紙カバーを開き給紙トレーとして利用するが、携行時には給紙カバーおよび排紙カバーを閉じることで、携行時に給紙開口部および排紙開口部から埃や異物がプリンタ内部に侵入するのを防止していた。
【０００６】
しかしながら、このようなプリンタにおいては使用時には給紙カバーと排紙カバーの両方を開く必要があり、万が一排紙カバーを開き忘れてしまうと、印刷された用紙がプリンタ内部に詰まってしまうおそれがあった。
【０００７】
また、この問題を解決するために、次のタイプのプリンタが提案されている。給紙カバーの先端には磁石ユニットが取り付けられ、排紙カバーには金属部材が取り付けられている。それぞれのカバーは前述のプリンタと同様に回転可能であり、プリンタの携行時には給紙カバーおよび排紙カバーを閉じ、磁石ユニットと金属部材とが互いに吸着することでロック状態となり、シェル構造をなすようになっている。これにより、携行時の埃や異物の進入を防止するとともに、使用時は給紙カバーを開くことで、排紙カバーが自重により開き、排紙カバーの開き忘れによる記録した用紙のプリンタ内部での紙づまり防止していた。
【０００８】
従来例としては、例えば特許文献１と特許文献２をあげることが出来る。
【特許文献１】特開平08-123119号公報
【特許文献２】特開2002-235231号公報
【発明の開示】
【発明が解決しようとする課題】
【０００９】
しかしながら、給紙カバーと排紙カバーが貝のように合わさるシェル構造を成して排紙部のカバーを形成していたため、排紙部のカバー剛性、および堅牢性が低下してしまうという恐れがあった。とくに、携行型の小型プリンタでは、プリンタを持ち運ぶ際に、機器の厚み方向に片手でわしづかみにして移動させる場合が頻繁に発生する。そのため排紙部の中央をつかんだ際に、給紙カバーと排紙カバーが貝のように合わさるシェル構造であるため、排紙部において給紙カバーと排紙カバーが変形しやすく、つかんだユーザーに変形による違和感を与えたり、あるいは、合わせ部の位置ずれが生じて擦れ音等を発生させる恐れがあった。また、携行型のプリンタには、卓上型のプリンタ以上の落下衝撃に対する堅牢性が求められるが、排紙面を鉛直下向きにプリンタ本体を落下させた場合、シェル構成とっているために、給紙カバーおよび排紙カバーが変形または破損する恐れがあった。
【００１０】
また、給紙カバーと排紙カバーのロックのために、磁石ユニットを用いていたため、製品コストが上昇してしまうという問題があった。
【００１１】
そこで、本発明は、埃や異物のプリンタ本体内部への進入を防止するとともに、使用時に排紙カバーが閉じてしまっていることに起因する紙づまりを起こすことがなく、かつ、堅牢性の高い記録装置を低コストで提供することを目的とする。
【課題を解決するための手段】
【００１２】
上記目的を達成するため本発明の記録装置は、
給紙部、搬送部、印字部、排紙部からなる記録装置であって、
記録装置本体の天面後方に位置する給紙部と、および給紙部を覆うカバー部材と、前方の側面に位置する排紙部と、その排紙部を覆うカバー部材と、
給紙カバー部材の閉状態をロックする給紙カバーロック部材と、
排紙カバー部材の閉状態をロックする排紙カバーロック部材とを有する記録装置において、
給紙カバーと排紙カバーの閉状態において２つのカバーが突き当て可能な突き当て部を有し、給紙カバーロック、および排紙カバーロックが突き当て部に付設されたことを特徴とする。
【発明の効果】
【００１３】
以上説明してきたように、本発明の記録装置は、給紙開口部を覆う第１のカバーと、排紙開口部を覆い、第１のカバーに連動して開く第２のカバーとを上ケースの突き当て部に当接する構成としたので、埃や異物のプリンタ本体内部への進入を防止するとともに、使用時に排紙カバーが閉じてしまっていることに起因する紙づまりを起こすことがなく、かつ、堅牢性の高い記録装置を低コストで提供することが可能になるという優れた効果がある。
【発明を実施するための最良の形態】
【００１４】
本発明の実施形態について、図面に従って本発明の詳細を説明する。
【００１５】
図１は本発明の記録装置の実施例を示す本体８００の外観を示す、右前面上方からの斜視図である。図１において、外装部は厚み方向におけるセンタ８０１ｄでかん合する上ケース８０１としたケース８０２、上ケース８０１を覆う給紙カバー８０３とプリンタ本体８００の正面部下方を覆う排紙カバー８０４とにより構成されている。この給紙カバー８０３と排紙カバー８０４は、上ケースの前面である突き当て部８０１ｂに合わさるように配置されており、突き当て部８０１ｂの中央部に収容されるロック機構によりそれぞれ結合されている。給紙カバー８０３には使用時に給紙カバー８０３をあけるための手掛かり凸部８０３が設けられている。プリンタ本体８００の前面８００ａは図に示すように先端が絞られている形状になっており持ち運ぶ際、手になじみやすい形状になっている。また、持ちやすい前面８００ａを持ってプリンタ本体８００を収容しようとした場合、その他の面を設置面とする可能性が高いため、前面８００ａ以外の他の５面は平面形状となっている。このような構成によりプリンタ本体８００は外観上では開口部が覆い隠されており、埃や異物のプリンタ本体８００内部への侵入を防止することが可能となっている。
【００１６】
図２はプリンタ本体８００の内部部品（一部）の配置を示す、上面方向からの透視図である。プリンタ本体８００のＲ形状を成す前面８００ａとその対向面である背面８００ｄとの概ねセンタ８００ｇに対して背面８００ｄ側に、積載された用紙を給紙する給紙ローラ（図示せず）の駆動と、記録機構部のクリーニング等を行う回復部（図示せず）の駆動とを切り替えながら行うＡＰモータ１０７、記録中および用紙排出時の用紙搬送を行うＬＦモータ２０６、記録ヘッドを搭載したキャリッジ部（以上図示せず）を駆動するＣＲモータ４１０が配置されている。また前述した回復部からでた廃棄インクを保持するためのドレインパック６４２も同様にセンタ８００ｇに対して背面８００ｄ側、特に背面８００ｄの近傍に配置されている。さらにプリンタ本体８００を制御するメイン基板７０３、電源を供給するための電源基板７０４も同様にセンタ８００ｇに対して背面８００ｄ側に配置されている。センタ８００ｇに対して前面８００ａ側にはプラテン２０３、回復部（図示しない）、キャリッジ（図示しない）等が配置されているとともに、キャリッジが走査するための空間が設けられている。このようにセンタ８００ｇに対して背面８００ｄ側に重い部品が配置されているため、プリンタ本体８００の背面８００ｄを設置面として収納した場合には安定した状態で収納できることとなる。
【００１７】
また、図１は、プリンタ本体８００の使用状態を示す。給紙開口部８０１ａは給紙カバー８０３によって、また排紙口８０２ａは排紙口カバー８０４によってそれぞれ覆われており、前述した埃や異物のプリンタ本体８００内部への侵入を防止している。
【００１８】
図２はプリンタの使用状態を表わす斜視図である。給紙カバー８０３はプリンタ本体の上面後方の回転中心８０３ａを中心として回転可能に可能に設けられており、図1に示す給紙カバーの突き当て部８００ｇの位置がストッパとなり、ある一定角度で停止して給紙をサポートし、給紙精度を向上させるものである。排紙カバー８０４はプリンタ本体の底面前方の回転中心８０４ａを中心として回転可能に設けられており、プリンタ本体の使用時には図に示す位置に回転する。
【００１９】
排紙口カバー８０４は回転軸８０４ａを中心に回転し、下ケース８０２に設けられた凸部８０２ｂに排紙口カバー８０４の凸部８０４ｂが当接することにより回転が抑止される。  給紙カバー８０３の直下にはアクセスカバー８０９が回転軸８０９ａを中心に回転可能に設けられていて、インクタンク交換や紙ジャム時の処理などができるようになっている。アクセスカバー８０９の後方には操作部が設けられ、プリンタ本体８００の状態を示すＬＥＤ８１０、電源のオンオフを行うパワーキー８１１、紙送りやリセットを行うリセットキー８１２が配置されている。
【００２０】
プリンタ本体８００の右側面８００ｃには、サイドカバー８０６が取り付けられており、同部材に設けられた開口部８０６ａからＩ／Ｆコネクタ８１６にアクセスが可能となっている。
【００２１】
図３は、１中の８００ｈの線におけるプリンタ本体の断面図であり、給紙カバーと排紙カバーのロック機構を示す説明図である。
【００２２】
８０３は給紙カバーであり、指がかり突起８０３ｂが設けられ、上ケースのトレー突き当て部の凹部８０１ｃとともに操作しやすいようになっている。８０３ｃは給紙カバーの爪部、８０４は排紙カバー、８０４ｃは排紙カバーの爪部である。８１７は給紙カバーロックであり、回転中心８１７ａを回転中心としてＡＢ方向に回転可能に設けられ、給紙ロックばね８２１のばね力によりＢ方向に付勢されている。また、８１８は排紙カバーロックであり、回転中心８１８ａを回転中心として回転可能に設けられ、給紙ロックばね８２０のばね力によりＢ方向に付勢されている。また、給紙カバーロック８１７と排紙カバーロック８１８はロックカバー８１９により上ケースのカバー突き当て部８０１ｂの内部に図示しない上ケースの穴に８１９ａがかん合し、ねじ８２２により固定されている。
【００２３】
図３に示す状態から給紙カバーを開くと、給紙カバーロック８１７が給紙カバーの爪部８０３ｃによりＡ方向に回転して解除される。それとともに給紙カバーロックのカム部８１７ｂが排紙トレーロックのカム部８１８ｂに作用し、排紙カバーロック８１８が同じくＡ方向に回転し、排紙カバーの爪部８０４ｃとのロックが解除され、排紙カバーは自重によりプリンタの設置面に当接する位置まで開き、給紙カバーロック８１７および排紙カバーロック８１８は上述のばね力により図１に示す位置に復帰する。
【００２４】
このように、使用時は給紙カバー８０３を開くことで、排紙カバー８０４が自重により自動的に開くので、排紙カバーの開き忘れによる記録した用紙のプリンタ内部での紙づまりを防止することが可能となっている。
【００２５】
また、上ケースのカバー突き当て部８０１ｂをコの字形状にプリンタ前面に配置して剛性を向上させており、給紙カバーと排紙カバーを突き当て部８０１ｂに当接する構成としたので、機器の持ち運び時に本体の前面をわしづかみにして力を加えても、給紙カバーと排紙カバーの合わせ部がずれることなく、擦れ音の発生やユーザーに変形による違和感などを与えることがなく、堅牢性の高い記録装置を提供することができる。
【００２６】
また、排紙面を鉛直下向きにプリンタ本体を落下させても、前述の上ケースのカバー突き当て部が衝撃を吸収するので、給紙カバーおよび排紙カバーの変形と破損を防止することが可能になっている。
【００２７】
また、これらのロック部の部品構成はモールド部品およびバネの安価な部品により構成しているので、磁石等の高額部品を用いる場合に比較して製品コストが安価である。
【図面の簡単な説明】
【００２８】
【図１】本発明の実施例を表す記録装置本体の斜視図。
【図２】本発明の実施例を表す記録装置本体の斜視図。
【図３】本発明の実施例を表す機構部の斜視図。
【符号の説明】
【００２９】
２０３  プラテン
３０１  排紙ローラ
３０４  拍車
８００  プリンタ本体
８００ａ  前面
８００ｂ  左側面
８００ｃ  右側面
８００ｄ  背面
８００ｅ  上面
８００ｆ  裏面
８００ｇ  突き当て部
８０１  上ケース
８０１ａ  給紙開口部
８０１ｂ  突き当て部
８０１ｃ  凹部
８０２  下ケース
８０２ａ  排紙口
８０３  給紙カバー
８０３ａ、８０４ａ、８０９ａ  回転軸
８０３ｂ  凸部
８０３ｃ  爪部
８０３ｄ  上面
８０４    排紙カバー
８０４ｂ  凸部
８０４ｃ  爪部
８０６  サイドカバー
８１１  パワーキー
８１２  リセットキー
８１７  給紙カバーロック
８１８  排紙カバーロック
８１９  ロックカバー
８２０  給紙ロックスプリング
８２１  排紙ロックスプリング
８２２  固定ネジ
【図１】
2008055841.tif 000003
【図２】
2008055841.tif 000004
【図３】
2008055841.tif 000005